(57)【要約】【課題】  厚さの薄いＮＤフィルタを容易に得、極めて軽量かつ低コストに実施可能にするとともに、汎用性を高める。【解決手段】  周辺部Ｃｆの透光量に対して中心部Ｃｓの透光量が減少する光透過率特性となる超広角レンズ用ＮＤフィルタであって、少なくとも光透過率が８０〔％〕以上となる平坦な透明板２の表面Ｆに、少なくとも光透過率が２０〔％〕以下となる多数のドットｄ…を組合わせたドットパターンＰｄを用いることにより、少なくとも、周辺部Ｃｆにおけるドットｄ…の面積を０とし、かつ中心部Ｃｓのドットｄ…の面積を２０〔％〕以上とすることにより、周辺部Ｃｆの透光量に対して中心部Ｃｓの透光量が減少する光透過率特性Ｑｉとなる遮光性マスク層３を形成する。【選択図】  図１
2014238527.tif 000002
【特許請求の範囲】
【請求項１】
周辺部の透光量に対して中心部の透光量が減少する光透過率特性となる超広角レンズ用ＮＤフィルタであって、少なくとも光透過率が８０〔％〕以上となる平坦な透明板の表面に、少なくとも光透過率が２０〔％〕以下となる多数のドットを組合わせたドットパターンを用いることにより、少なくとも、周辺部におけるドットの面積を０とし、かつ中心部のドットの面積を２０〔％〕以上とすることにより、周辺部の透光量に対して中心部の透光量が減少する光透過率特性となる遮光性マスク層を形成してなることを特徴とする超広角レンズ用ＮＤフィルタ。
【請求項２】
前記透明板は、ガラス板を用いることを特徴とする請求項１記載の超広角レンズ用ＮＤフィルタの製造方法。
【請求項３】
前記ドットの幅寸法は、２５〜２５０〔μｍ〕の範囲に選定することを特徴とする請求項１記載の超広角レンズ用ＮＤフィルタ。
【請求項４】
周辺部の透光量に対して中心部の透光量が減少する光透過率特性となる超広角レンズ用ＮＤフィルタの製造方法であって、少なくとも光透過率が８０〔％〕以上となる平坦な透明板を用意し、この透明板の表面に、少なくとも光透過率が２０〔％〕以下となる多数のドットを組合わせたドットパターンを用いることにより、少なくとも、周辺部におけるドットの面積を０とし、かつ中心部のドットの面積を２０〔％〕以上とすることにより、周辺部の透光量に対して中心部の透光量が減少する光透過率特性となる遮光性マスク層を形成処理することを特徴とする超広角レンズ用ＮＤフィルタの製造方法。
【請求項５】
前記ドットの幅寸法は、２５〜２５０〔μｍ〕の範囲に選定することを特徴とする請求項４記載の超広角レンズ用ＮＤフィルタの製造方法。
【請求項６】
前記遮光性マスク層の形成処理には、少なくとも、薄膜形成処理，インクジェット方式印刷処理，シルク印刷処理，のいずれか一つを含むことを特徴とする請求項４又は５記載の超広角レンズ用ＮＤフィルタの製造方法。
【発明の詳細な説明】
【技術分野】
【０００１】
本発明は、撮影画像の周辺光量が不足しやすい超広角レンズに用いて好適な超広角レンズ用ＮＤフィルタ及びその製造方法に関する。
【背景技術】
【０００２】
従来、対角画角が１３０〔゜〕以上となる広範な視野をカバーすることができる超広角レンズは知られており、一例として示す特許文献１にもこの種の超広角レンズが開示されている。
【０００３】
同文献１に示す超広角レンズは、車載用テレビカメラ、監視用テレビカメラ等に好適な小型及び薄型で光学性能の高い超広角レンズの提供を目的とし、具体的には、物体側から像面側に向けて順に、負の屈折率を有し両凹形状の第１レンズ、負の屈折率を有し像面側よりも物体側の面の曲率半径が大きい第２レンズ、正の屈折率を有する第３レンズ、所定の口径をなす開口絞りＳＤ、正の屈折率を有し両凸形状の第４レンズが配列されている。この超広角レンズによれば、４群４枚構成を採用すると共に第１レンズを負レンズとすることにより、対角画角が１３０゜以上の適切な広画角を確保できるようにしたものである。これにより、レンズ全長を短くでき、ＣＣＤ等搭載したデジタルカメラのレンズ系に必要な赤外光カットフィルターあるいはローパスフィルター等を配置するためのバックフォーカスを確保できる。
【先行技術文献】
【特許文献】
【０００４】
【特許文献１】特開２００６−３０１２２２号公報
【発明の概要】
【発明が解決しようとする課題】
【０００５】
しかし、上述した特許文献１等で開示される従来の超広角レンズは、次のような問題点があった。
【０００６】
即ち、超広角レンズの場合、撮影画像の周辺が暗くなる傾向がある。特に、超広角レンズとして構成される古くからの一眼レフカメラ用レンズの場合や絞りを開放した場合等においては周辺光量の減少が大きくなる傾向がある。結局、このような周辺光量の減少は、画質に対して無視できる程度のものであれば、超広角レンズ固有の特性として、ある程度仕方がないものとして使用されているのが実情である。
【０００７】
一方、画質に対して周辺光量の減少に伴う影響が無視できないほど大きくなった場合にはその対策が必要となり、その対策として使用するセンタＮＤフィルタも知られている。このセンタＮＤフィルタは、超広角レンズに装着することにより全体の光透過率分布を均一化することができる。しかし、従来のセンタＮＤフィルタは、平凹レンズと平凸レンズを接合し、中心側の光透過率を低下させる特性を持たせて構成するため、ある程度の厚さが生じざるを得ず、厚さの薄いフィルタを得るには限界がある。しかも、通常のレンズと同様の精度を有する二枚のレンズ部品を必要とするため、高コスト化も避けられない。
【０００８】
本発明は、このような背景技術に存在する課題を解決した超広角レンズ用ＮＤフィルタ及びその製造方法の提供を目的とするものである。
【課題を解決するための手段】
【０００９】
本発明に係る超広角レンズ用ＮＤフィルタ１は、上述した課題を解決するため、周辺部Ｃｆの透光量に対して中心部Ｃｓの透光量が減少する光透過率特性となる超広角レンズ用ＮＤフィルタであって、少なくとも光透過率が８０〔％〕以上となる平坦な透明板２の表面Ｆに、少なくとも光透過率が２０〔％〕以下となる多数のドットｄ…を組合わせたドットパターンＰｄを用いることにより、少なくとも、周辺部Ｃｆにおけるドットｄ…の面積を０とし、かつ中心部Ｃｓのドットｄ…の面積を２０〔％〕以上とすることにより、周辺部Ｃｆの透光量に対して中心部Ｃｓの透光量が減少する光透過率特性Ｑｉとなる遮光性マスク層３を形成してなることを特徴とする。
【００１０】
この場合、発明の好適な態様により、透明板２には、ガラス板Ｇｐを用いることができる。なお、ドットｄの幅Ｗｄ寸法は、２５〜２５０〔μｍ〕の範囲に選定することが望ましい。
【００１１】
一方、本発明に係る超広角レンズ用ＮＤフィルタ１の製造方法は、周辺部Ｃｆの透光量に対して中心部Ｃｓの透光量が減少する光透過率特性となる超広角レンズ用ＮＤフィルタ１を製造するに際し、少なくとも光透過率が８０〔％〕以上となる平坦な透明板２を用意し、この透明板２の表面Ｆに、少なくとも光透過率が２０〔％〕以下となる多数のドットｄ…を組合わせたドットパターンＰｄを用いることにより、少なくとも、周辺部Ｃｆにおけるドットｄ…の面積を０とし、かつ中心部Ｃｓのドットｄ…の面積を２０〔％〕以上とすることにより、周辺部Ｃｆの透光量に対して中心部Ｃｓの透光量が減少する光透過率特性Ｑｉとなる遮光性マスク層３を形成処理するようにしたことを特徴とする。
【００１２】
この場合、発明の好適な態様により、ドットｄの幅Ｗｄ寸法は、２５〜２５０〔μｍ〕の範囲に選定することが望ましい。また、遮光性マスク層３の形成処理には、少なくとも、薄膜形成処理，インクジェット方式印刷処理，シルク印刷処理，のいずれか一つを含ませることができる。
【発明の効果】
【００１３】
このような本発明に係る超広角レンズ用ＮＤフィルタ１及びその製造方法によれば、次のような顕著な効果を奏する。
【００１４】
（１）  ＮＤフィルタ１は、平坦な透明板２の表面Ｆに、多数のドットｄ…を組合わせたドットパターンＰｄを用いることにより、少なくとも、周辺部Ｃｆにおけるドットｄ…の面積を０とし、かつ中心部Ｃｓのドットｄ…の面積を２０〔％〕以上とすることにより、周辺部Ｃｆの透光量に対して中心部Ｃｓの透光量が減少する光透過率特性Ｑｉとなる遮光性マスク層３を形成してなるため、フィルタ全体の厚さは平坦な透明板２の厚さで足りる。したがって、厚さの極めて薄いＮＤフィルタ１を容易に得ることができるとともに、使用部品としては、ガラス板等の実質一枚の透明板で足りるため、極めて軽量かつ低コストに実施できる。
【００１５】
（２）  ＮＤフィルタ１は、多数のドットｄ…を組合わせたドットパターンＰｄを利用するため、パターンデザインを自在に変更することができ、超広角レンズの設計自由度を高めることができるとともに、容易かつ低コストに実施できることから、様々な超広角レンズに適用可能となるなど、汎用性に優れる。
【００１６】
（３）  ＮＤフィルタ１を製造するに際しては、平坦な透明板２を用意し、この透明板２の表面Ｆに、多数のドットｄ…を組合わせたドットパターンＰｄを用いることにより、周辺部Ｃｆの透光量に対して中心部Ｃｓの透光量が減少する光透過率特性Ｑｉとなる遮光性マスク層３を形成処理するようにしたため、目的とするＮＤフィルタ１を容易かつ低コストに製造することができる。
【００１７】
（４）  好適な態様により、透明板２としてガラス板Ｇｐを用いた場合であっても、厚さを極めて薄くできることから、高品質で、しかも軽量かつ実用的なＮＤフィルタ１を容易に得ることができる。
【００１８】
（５）  好適な態様により、ドットｄの幅Ｗｄ寸法を、２５〜２５０〔μｍ〕の範囲に選定すれば、実用上、良好なＮＤフィルタ１を得ることができる。即ち、ドットｄの幅Ｗｄ寸法が小さ過ぎる場合、製造技術上（コスト上）の制約を生じるとともに、ドットｄの幅Ｗｄ寸法が大き過ぎる場合、良質画像を確保できない。しかし、ドットｄの幅Ｗｄ寸法を、２５〜２５０〔μｍ〕の範囲に選定すれば、実用的観点から良好なＮＤフィルタ１を得ることができる。
【００１９】
（６）  好適な態様により、遮光性マスク層３の形成処理には、少なくとも、薄膜形成処理，インクジェット方式印刷処理，シルク印刷処理，のいずれか一つを含ませることができる。即ち、ＮＤフィルタ１を製造するに際しては、汎用的な手法を含む各種形成処理技術を適用でき、製造工程の柔軟性及び容易性に優れるとともに、製造コストの低減にも寄与できる。
【図面の簡単な説明】
【００２０】
【図１】本発明の好適実施形態に係る超広角レンズ用ＮＤフィルタの一部抽出拡大図を含む正面図、
【図２】同ＮＤフィルタの一部抽出拡大断面図を含む断面側面図、
【図３】同ＮＤフィルタを装着した状態を示す超広角レンズの一例を示す原理的側面構成図、
【図４】同ＮＤフィルタ及びこのＮＤフィルタを装着する超広角レンズの光透過率分布特性図、
【図５】同ＮＤフィルタの製造方法の一例を示す製造工程図、
【図６】同製造方法により製造する際の各工程における同ＮＤフィルタの中間製造体を示す断面側面図、
【発明を実施するための形態】
【００２１】
次に、本発明に係る好適実施形態を挙げ、図面に基づき詳細に説明する。
【００２２】
まず、本実施形態に係る超広角レンズ用ＮＤフィルタ１の構成について、図１〜図３を参照して説明する。
【００２３】
このＮＤフィルタ１は、基本的な構成として、図１及び図２に示すように、平坦かつ円形の透明板２の表面Ｆに、周辺部Ｃｆの透光量に対して中心部Ｃｓの透光量が減少する光透過率特性Ｑｉとなる遮光性マスク層３を形成したものである。
【００２４】
この場合、透明板２にはガラス板Ｇｐを用いる。ガラス板Ｇｐは、表裏が平行面となる厚さが１〔ｍｍ〕前後の板ガラスを用いることができ、素材としては、例えば、レンズに使用される光学ガラスをはじめ各種ガラス素材を使用可能である。ガラス板Ｇｐとしては、基本的に光透過率がほぼ１００〔％〕となる透明ガラスを用いる。なお、光透過率は、１００〔％〕であることがＮＤフィルタ１にとって最適となるが、着色等の他の機能を付加することも可能であるため、必ずしも１００〔％〕である必要はない。しかし、ＮＤフィルタ１としての十分な機能を確保する必要があることから、８０〔％〕以上の光透過率に選定することが望ましい。また、本実施形態に係るＮＤフィルタ１は、後述するように、厚みを極めて薄くすることができる。したがって、透明板２としてガラス板Ｇｐを用いた場合であっても、高品質で、しかも軽量かつ実用的なＮＤフィルタ１を容易に得ることができる。
【００２５】
一方、遮光性マスク層３は、多数のドットｄ…を組合わせたドットパターンＰｄを用いることにより、少なくとも、周辺部Ｃｆにおけるドットｄ…の面積を０とし、かつ中心部Ｃｓのドットｄ…の面積を２０〔％〕以上となるように形成する。各ドットｄ…は、例えば、色として、黒色を選定するとともに、反射を防止するため、艶消し状態にすることが望ましい。したがって、光透過率としては０〔％〕が望ましいが、周辺部Ｃｆの透光量に対して中心部Ｃｓの透光量が減少する光透過率特性Ｑｉを持たせればよいため、必ずしも０〔％〕である必要はなく、光透過率は２０〔％〕以下であればよい。
【００２６】
多数のドットｄ…は、ランダム（乱数）に配し、結果的に、上述した特性、即ち、周辺部Ｃｆの透光量に対して中心部Ｃｓの透光量が減少する光透過率特性Ｑｉを生じさせるようにする。具体的には、例えば、ＮＤフィルタ１を装着する超広角レンズＬの対角画角が１３０〔゜〕以上となり、光透過率特性が、図３に示す光透過率特性（分布特性）Ｑｒを有しているものとする。例示の場合、光軸の中心部Ｃｓの光透過率は１００〔％〕であるが、周辺部Ｃｆの透光量は減少し、８０〔％〕まで減少している。したがって、ＮＤフィルタ１を装着しない場合、実際の撮影画像は、周辺が薄暗い状態となる。
【００２７】
そこで、ＮＤフィルタ１の光透過率特性Ｑｉを、図３に示すように、超広角レンズの光透過率特性Ｑｒに対して反対特性となるように選定する。即ち、光軸の中心部Ｃｓの光透過率が８０〔％〕となり、周辺部Ｃｆの光透過率が０〔％〕となる光透過率特性Ｑｉを選定する。これにより、ＮＤフィルタ１を装着した超広角レンズＬにおける全体の光透過率特性Ｑｓは、図３に示すように、８０〔％〕に低下するものの、中心部Ｃｓから周辺部Ｃｆまでの光透過率分布を一定（フラット）にすることができる。
【００２８】
また、ドットｄの幅Ｗｄ寸法は、２５〜２５０〔μｍ〕の範囲に選定する。図１（ａ），（ｂ）は、それぞれドットｄの幅Ｗｄ寸法を異ならせた場合のパターン例を示している。図１（ａ）は縦横１００〔μｍ〕の正方形を放射方向に平行に配した場合、図１（ｂ）は縦横２５０〔μｍ〕の正方形を放射方向に平行に配した場合、をそれぞれ示している。ドットパターンＰｄにおける各ドットｄ…は同一の形状及び大きさを有しているため、そのランダムな分布密度を変更することにより、透光量を、いわばデジタル的に変化させることができる。したがって、多数のドットｄ…の分布密度により、上述した光透過率特性Ｑｉを容易に設定することができる。なお、超広角レンズ（広角レンズを含む）の場合、焦点距離が短いため、基本的にドットｄの大きさは小さい方が良好な結果を得る。反面、製造技術の要請からは限界があり、製造容易性を考慮すれば、ドットｄの大きさは、２５〔μｍ〕以上が望ましい。一方、ドットｄの幅Ｗｄ寸法が大き過ぎる場合、いわば粗さが目立つことになり良質画像を確保できない。このため、ドットｄの幅Ｗｄ寸法を、２５〜２５０〔μｍ〕の範囲に選定すれば、実用的観点から良好なＮＤフィルタ１を得ることができる。しかし、ドットｄの幅Ｗｄ寸法が小さ過ぎるとしても、製造技術やコストを無視すれば実現可能であり、また、ドットｄの幅Ｗｄ寸法が大き過ぎるとしても、画質を無視すれば実現可能である。
【００２９】
一方、遮光性マスク層３を形成した透明板２は、本実施形態に係る超広角レンズ用ＮＤフィルタ１となるため、図４に示すように、筒形（リング形）のフィルタ保持フレーム１１の内部に組み付けて固定する。これにより、超広角レンズＬの前端に対して着脱可能なＮＤフィルタユニットＵを得ることができる。したがって、フィルタ保持フレーム１１の内周面における後端部には、超広角レンズＬの外周面の前端部に対してネジ方式により着脱可能な雌ネジ部１１ｎが形成されている。
【００３０】
次に、本実施形態に係る超広角レンズ用ＮＤフィルタ１の使用方法について、図１〜図４を参照して説明する。
【００３１】
ＮＤフィルタ１（ＮＤフィルタユニットＵ）は、図４に示すように、超広角レンズＬの前端に着脱して使用することができる。この場合、超広角レンズＬの外周面Ｌｆの前端部には雄ネジ部Ｌｆｓが形成されているため、ＮＤフィルタ１を使用する際は、ＮＤフィルタユニットＵの雌ネジ部１１ｎを超広角レンズＬの雄ネジ部Ｌｆｓに螺着し、ＮＤフィルタ１を使用しないときは、ＮＤフィルタ１（ＮＤフィルタユニットＵ）を取り外すことができる。したがって、ＮＤフィルタユニットＵ（ＮＤフィルタ１）は、超広角レンズＬに対してネジ方式により着脱する。なお、一例として挙げた超広角レンズＬは、レンズ鏡筒１５の内部に、前側から、前レンズ群Ｌｆ，中間レンズ群Ｌｍ，後レンズ群Ｌｒを有し、対角画角が１３０〔゜〕以上となる超広角を確保している。
【００３２】
これにより、超広角レンズＬにおける周辺部Ｃｆの透光量が減少し、撮影画像の周辺（Ｃｆ）が中心（Ｃｓ）に対して相対的に薄暗い状態となる場合であっても、ＮＤフィルタ１の光透過率特性Ｑｉにより補正され、ＮＤフィルタ１を装着した超広角レンズＬの全体の光透過率特性Ｑｓは、中心部Ｃｓから周辺部Ｃｆまで一定（フラット）となる。なお、この際、全体の透光量（光透過率）分布が減少するが、絞り等により明るさを調整することができる。
【００３３】
このように、本実施形態に係る超広角レンズ用ＮＤフィルタ１によれば、平坦なガラス板Ｇｐの表面Ｆに、多数のドットｄ…を組合わせたドットパターンＰｄを用いることにより、少なくとも、周辺部Ｃｆにおけるドットｄ…の面積を０とし、かつ中心部Ｃｓのドットｄ…の面積を２０〔％〕以上とすることにより、周辺部Ｃｆの透光量に対して中心部Ｃｓの透光量が減少する光透過率特性Ｑｉとなる遮光性マスク層３を形成してなるため、フィルタ全体の厚さは平坦な透明板２の厚さで足りる。したがって、厚さの極めて薄いＮＤフィルタ１を容易に得ることができるとともに、使用部品としては、実質一枚のガラス板Ｇｐで足りるため、極めて軽量かつ低コストに実施できる。また、ＮＤフィルタ１は、多数のドットｄ…を組合わせたドットパターンＰｄを利用するため、パターンデザインを自在に変更することができ、超広角レンズの設計自由度を高めることができるとともに、容易かつ低コストに実施できることから、様々な超広角レンズに適用できるなど、汎用性に優れる。
【００３４】
次に、本実施形態に係る超広角レンズ用ＮＤフィルタ１の製造方法の一例について、図５及び図６を参照して説明する。
【００３５】
なお、図５及び図６に示す製造方法は、遮光性マスク層３を形成処理するに際し、薄膜形成処理方法を用いたものである。また、ドットパターンＰｄは、周辺部Ｃｆの透光量に対して中心部Ｃｓの透光量が減少する光透過率特性Ｑｉとなる。したがって、このような光透過率特性Ｑｉを有するドットパターンＰｄは、超広角レンズＬに係わるデータ及びドットｄの形状や大きさ等の既知のデータに基づいて自動設計が可能である。例示の場合、このような自動設計を行うアプリケーションプログラムが予め作成されている。
【００３６】
今、図４に示した超広角レンズＬに使用するＮＤフィルタ１を製造する場合を想定する。まず、ＣＡＤ等の設計用コンピュータに、超広角レンズＬに係わるデータ及び使用するドットｄの形状や大きさ等の既知のデータを入力（又は選択）する（ステップＳ１）。これにより、設計用コンピュータでは、目的とするドットパターンＰｄを自動設計する（ステップＳ２）。
【００３７】
一方、少なくとも光透過率が８０〔％〕以上となる平坦なガラス板Ｇｐを用意し、製造システムにおける所定位置に、当該ガラス板Ｇｐをセットする（ステップＳ３）。例示のガラス板Ｇｐは、表裏が平行面となる厚さ１〔ｍｍ〕の透明な板ガラスであり、全体形状は所定径を有する円形である。次いで、図６（ａ）に示すように、ガラス板Ｇｐの表面（上面）Ｆに、金属素材（クロム等）を用いた金属薄膜２１を塗布（蒸着等の各種付着手段を含む）する。この金属薄膜２１には、少なくとも光透過率が２０〔％〕以下となる素材を選定する。さらに、この金属薄膜２１の上にレジスト（感光剤）２２を塗布する（ステップＳ４，Ｓ５）。これにより、原材料となるガラス基板２３が得られる。次いで、ガラス基板２３の上面に対して直角方向からレーザビームを照射し、設計したドットパターンＰｄ（設定データ）を描画する（ステップＳ６）。
【００３８】
また、ドットパターンＰｄの描画が終了したなら現像処理を行い、ドットパターンＰｄ以外の部分のレジスト２２を除去する（ステップＳ７）。図６（ｂ）に、レジスト２２を除去したガラス基板２３を示す。次いで、エッチング（触刻）処理を行い、ガラス基板２３におけるレジスト２２を除去した部分に対応する金属薄膜２１を除去する（ステップＳ８）。図６（ｃ）に、エッチング処理後のガラス基板２３を示す。さらに、エッチング処理が終了したなら、ガラス基板２３上における不要なレジスト２２を全て除去する（ステップＳ９）。この状態を図６（ｄ）に示す。
【００３９】
この後、ガラス基板２３の洗浄を行うとともに、ガラス板Ｇｐの表面Ｆ上に形成されたドットパターンＰｄに対応する金属薄膜２１の位置や寸法等が正規のデータに一致しているか否か測定により確認するとともに、傷等が存在しないか否か必要な外観等の検査を行う（ステップＳ１０，Ｓ１１）。以上の工程により、目的のＮＤフィルタ１を得ることができる（図６（ｄ）参照）。即ち、ガラス板Ｇｐの表面（上面）Ｆに、ドットパターンＰｄの形状を有する金属薄膜２１による遮光性マスク層３を形成したＮＤフィルタ１を得ることができる。
【００４０】
なお、以上は、遮光性マスク層３を形成処理するに際し、薄膜形成処理を用いた一例を示したが、遮光性マスク層３を形成処理するに際しては、その他、インクジェット方式を用いた印刷処理やシルク印刷処理等も利用可能である。特に、ドットｄが比較的大きい場合には、シルク印刷処理により比較的容易に実施できるとともに、精度や強度が要求される場合には、上述した薄膜形成処理が適切と思われ、遮光性マスク層３を形成処理する方法は、ＮＤフィルタ１のグレードや求められる精度等によって適宜選択可能である。
【００４１】
このように、本実施形態に係るＮＤフィルタ１を製造するに際しては、平坦なガラス板Ｇｐを用意し、このガラス板Ｇｐの表面Ｆに、多数のドットｄ…を組合わせたドットパターンＰｄを用いることにより、周辺部Ｃｆの透光量に対して中心部Ｃｓの透光量が減少する光透過率特性Ｑｉとなる遮光性マスク層３を形成処理するようにしたため、目的のＮＤフィルタ１を容易かつ低コストに製造することができる。また、本実施形態に係るＮＤフィルタの製造方法によれば、遮光性マスク層３を形成処理するに際し、少なくとも、薄膜形成処理，インクジェット方式印刷処理，シルク印刷処理，のいずれか一つを含ませることができる。即ち、ＮＤフィルタ１を製造するに際しては、汎用的な手法を含む各種形成処理技術を適用でき、製造工程の柔軟性及び容易性に優れるとともに、製造コストの低減にも寄与できる。
【００４２】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４３】
例えば、本発明における「超広角レンズ」とは、周辺光量の低下が無視できないレンズを全て含む概念であり、画角等により分類される概念ではない。実際、画角８０〜１００〔゜〕の広角レンズ（標準レンズの画角は４６〔゜〕）に分類されるものであっても周辺光量の低下が問題となっている。したがって、本発明における「超広角レンズ」とは「広角レンズ」も含む概念である。一方、ドットｄの幅Ｗｄ寸法は、２５〜２５０〔μｍ〕の範囲に選定することが望ましいが、必ずしも、この範囲に限定されるものではない。例えば、形成処理技術により２５〔μｍ〕未満のドットｄであっても、精度の高いドットｄを容易に形成できる場合には、当該２５〔μｍ〕未満のドットｄで実施可能であるとともに、大型カメラであって使用するカメラレンズが大型（大口径）の場合には、２５０〔μｍ〕を超える幅Ｗｄ寸法のドットｄにより実施可能である。また、ドットｄは正方形の形状により形成した場合を例示したが、他の多角形をはじめ、円形，楕円形，線形等の単純形状をはじめ、＋形等の各種形状により実施可能である。特に、線形については、周方向に沿った一定長さを有する円弧形又は放射方向に沿った一定長さを有する直線形等を利用できる。さらに、遮光性マスク層３の形成処理として、薄膜形成処理，インクジェット方式印刷処理，シルク印刷処理を挙げたが、他の形成処理方法を排除するものではない。なお、超広角レンズとは、必ずしもレンズの種類を示すものではなく、本発明においては、周辺部Ｃｆの透光量が中心部Ｃｓに対して相対的に減少する光透過率特性を有するレンズという意味である。
【産業上の利用可能性】
【００４４】
本発明に係るＮＤフィルタ１は、スチルカメラやビデオカメラ等に使用する各種超広角レンズに利用することができる。
【符号の説明】
【００４５】
１：ＮＤフィルタ，２：透明板，３：遮光性マスク層，Ｆ：透明板の表面，Ｃｆ：周辺部，Ｃｓ：中心部，Ｇｐ：ガラス板，Ｐｄ：ドットパターン，ｄ…：ドット，Ｑｉ：光透過率特性，Ｗｄ：ドットの幅
【図１】
2014238527.tif 000003
【図２】
2014238527.tif 000004
【図３】
2014238527.tif 000005
【図４】
2014238527.tif 000006
【図５】
2014238527.tif 000007
【図６】
2014238527.tif 000008